(57)【要約】【課題】赤外線センサの突出部がフィルタの前方部に位置しても容易にフィルタの着脱ができる空気調和機の提供。【解決手段】筐体１と、回動自在に設けられた赤外線センサ１４と、筐体１の前面に設けられ赤外線センサ１４を保持するセンサ保持枠体１２と、センサ保持枠体１２の背面側に位置する着脱自在なフィルタ５とを備え、センサ保持枠体１２は、赤外線センサ１４の少なくとも一部を覆い、上方に突出する突出部３８を備え、突出部３８を、フィルタ５の筐体１の長手方向における外側の端縁部との間に所定の間隔Ｙを有して、筐体１の長手方向のいずれか一方端側に設ける。これにより、突出部３８がフィルタ５近傍まで突出していても、使用者はフィルタ５の端縁部に手を掛けてこれを着脱することができ、その着脱は容易なものとなる。【選択図】図８
2017062090.tif 000002
【特許請求の範囲】
【請求項１】
筐体と、
回動自在に設けられた赤外線センサと、
前記筐体の前面に設けられ、前記赤外線センサを保持するセンサ保持枠体と、
前記センサ保持枠体の背面側に位置する着脱自在なフィルタとを備え、
前記センサ保持枠体は、前記赤外線センサの少なくとも一部を覆い、上方に突出する突出部を備え、
前記突出部は、前記フィルタの前記筐体の長手方向における外側の端縁部との間に所定の間隔を有して、前記筐体の長手方向のいずれか一方端側に設けられた空気調和機。
【請求項２】
前記センサ保持枠体は、手前側に回動自在に設けられた請求項１記載の空気調和機。
【請求項３】
前記赤外線センサを装着したセンサ基板と、前記センサ基板を回動させるモータとを備え、前記センサ基板と前記モータとをユニット化した請求項１または２に記載の空気調和機。
【請求項４】
前記センサ保持枠体は、前記赤外線センサの前方に設けられたセンサ窓と、前記センサ窓を中心に左右方向へ延びる凹状溝とを備え、前記凹状溝の底は前記センサ窓から左右両端部に向かって前方へと傾斜する構成とした請求項１〜３のいずれか１項に記載の空気調和機。
【請求項５】
前記センサ保持枠体は、背面側を覆うカバー体を備えた請求項１〜４のいずれか１項に記載の空気調和機。
【発明の詳細な説明】
【技術分野】
【０００１】
本発明は空気調和機、特にその空調制御に用いる赤外線センサの設置構成に関するものである。
【背景技術】
【０００２】
一般に空気調和機は、部屋内の空気の温度を検出する温度センサに加え、赤外線センサを設けて、部屋の温度、例えば人位置とともに床面温度を検出し、この人がいる位置を快適にする空調制御が主流となりつつある。
【０００３】
また、上記以外にも赤外線センサを活用して空調制御するものの中には、当該赤外線センサにより更に人数や人の活動量をも検出し、その出力に基づき空調負荷を算出して空調を行う等、数多くの制御手法が実用化され、快適な空間とする制御を実現している。
【０００４】
このような赤外線センサを用いて空調制御を行う空気調和機は、本体の前面部に赤外線センサを設け、この赤外線センサのセンサ部を左右に回動させて部屋内の温度状態を検出するようになっている（例えば、特許文献１参照）。
【０００５】
図１１は上記特許文献１記載の空気調和機を示し、この空気調和機は本体１０１の前面略中央部に人体及び床温を検出する赤外線センサ１０２を設け、この赤外線センサ１０２のセンサ部を左右に回動させて部屋の中にいる人と床面温度を検出し、これら両方の情報に基づき風向、風量、圧縮機回転数の少なくともいずれか一つを制御して、空調するようになっている。
【先行技術文献】
【特許文献】
【０００６】
【特許文献１】特開２００９−９２２５２号公報
【発明の概要】
【発明が解決しようとする課題】
【０００７】
上記従来の赤外線センサを用いた空気調和機は、赤外線センサからの出力に基づいて高度な空調制御が可能となり、その空調空間の快適性をかなり高いものとすることができるようになってきている。
【０００８】
しかしながら、上記赤外線センサを設けた部分の背面側にはフィルタが組み込んであり、上記赤外線センサ１０２を設けたことによって背部のフィルタの着脱がしにくくなる、という課題があった。
【０００９】
すなわち、赤外線センサ１０２は、通常、前面パネル１０３もしくは前面パネル１０３下方のセンサ保持枠体等に組み込んで当該前面パネル１０３の略中央部に位置するように設けてあるが、この前面パネル１０３もしくはセンサ保持枠体の更に背面側にフィルタが位置している。そして、前記赤外線センサ１０２はセンサ保持部を回動させるためのモータを備えていて、このモータはセンサ保持部の横に並設するとモータ軸とセンサ保持部を連携させる連係ギヤ機構を必要とするとともに連係ギヤ機構を加えた大きさの前後幅寸法が必要となってその分前面パネル１０３が前方にせり出すため、センサ保持部の上部に縦設してある。したがって、このモータは前記フィルタの上部付近まで突出して位置するような形となり、その突出した部分の背面に位置するフィルタの着脱が困難になるのであった。
【００１０】
特に、前記センサ１０２を空気調和機の左右一方端側に設ける構成とする場合においては、前記赤外線センサ１０２のモータが突出している部分がフィルタの赤外線センサ設置側端縁部を覆い隠すような形となるため、前記フィルタ端縁部に手を掛け難くフィルタの着脱が困難になるのであった。
【００１１】
本発明はこのような点に鑑みてなしたもので、空気調和機本体の前面部に設けた赤外線センサのモータによる突出部がフィルタの前方部に位置しても容易にフィルタの着脱ができる空気調和機の提供を目的としたものである。
【課題を解決するための手段】
【００１２】
本発明は上記目的を達成するため、筐体と、回動自在に設けられた赤外線センサと、前記筐体の前面に設けられ、前記赤外線センサを保持するセンサ保持枠体と、前記センサ保持枠体の背面側に位置する着脱自在なフィルタとを備え、前記センサ保持枠体は、前記赤外線センサの少なくとも一部を覆い、上方に突出する突出部を備え、前記突出部は、前記フィルタの前記筐体の長手方向における外側の端縁部との間に所定の間隔を有して、前記筐体の長手方向のいずれか一方端側に設けられたものである。
【発明の効果】
【００１３】
本発明は、上記構成によって、赤外線センサの突出部がフィルタの前方でフィルタと重なるように突出していてもフィルタの着脱が容易に行えるので、使い勝手の良い空気調和機とすることができる。
【図面の簡単な説明】
【００１４】
【図１】本発明の実施の形態１における空気調和機の外観斜視図
【図２】同空気調和機の赤外線センサ設置部分を示すための外観斜視図
【図３】図２のＡ−Ａ断面図
【図４】図２のＢ−Ｂ断面図
【図５】同空気調和機の赤外線センサを設置したセンサ保持枠体の分解斜視図
【図６】（ａ）同空気調和機の前面パネルを開いたときの斜視図、（ｂ）同フィルタを取り外した時の斜視図
【図７】（ａ）同空気調和機のセンサ保持枠体を閉じた状態の空気調和機本体示す斜視図、（ｂ）同センサ保持枠体を手前側に回動させた状態の空気調和機本体を示す斜視図
【図８】同空気調和機の赤外線センサ設置位置とフィルタとの関係を示す説明図
【図９】同空気調和機の赤外線センサの設置部分を示す正面透視斜視図
【図１０】同空気調和機の赤外線センサの設置部分を示す半裁斜視図
【図１１】同空気調和機の赤外線センサの斜視図
【図１２】同空気調和機の赤外線センサの分解斜視図
【図１３】同空気調和機の赤外線センサのセンサ保持部を示す斜視図
【図１４】（ａ）同空気調和機の赤外線センサのセンサ保持部の正面図、（ｂ）同（ａ）に示すセンサ保持部のＣ−Ｃ断面図
【図１５】従来の空気調和機の外観斜視図
【発明を実施するための形態】
【００１５】
第１の発明は、筐体と、回動自在に設けられた赤外線センサと、前記筐体の前面に設けられ、前記赤外線センサを保持するセンサ保持枠体と、前記センサ保持枠体の背面側に位置する着脱自在なフィルタとを備え、前記センサ保持枠体は、前記赤外線センサの少なくとも一部を覆い、上方に突出する突出部を備え、前記突出部は、前記フィルタの前記筐体の長手方向における外側の端縁部との間に所定の間隔を有して、前記筐体の長手方向のいずれか一方端側に設けられたものである。
【００１６】
これにより、赤外線センサによる突出部がフィルタ近傍まで突出していてもフィルタの端縁部は突出部によって覆い隠されることがなく、使用者は前記フィルタの端縁部に手を掛けてこれを着脱することができ、その着脱は容易なものとなる。
【００１７】
第２の発明は、第１の発明において、前記センサ保持枠体は、手前側に回動自在に設けられたものである。
【００１８】
これにより、センサ保持枠体を手前側に回動させることによって突出部はフィルタの前方部分から手前側に移動してフィルタ着脱の邪魔になることがなくなり、フィルタの着脱をより一層容易なものとすることができる。しかも突出部がセンサ保持枠体を手前側に回動させるときの手掛け部として利用できるので、センサ保持枠体の回動も容易に行え、さらに使い勝手の良いものとすることができる。
【００１９】
第３の発明は、第１または第２の発明において、前記赤外線センサを装着したセンサ基板と、前記センサ基板を回動させるモータとを備え、前記センサ基板と前記モータとをユニット化したものである。
【００２０】
これにより、赤外線センサはユニット化したものをセンサ保持枠体に取付けるだけで簡単に空気調和機本体に装着でき、センサ取り付け工数の削減によるコストダウンが可能となる。
【００２１】
第４の発明は、第１〜第３の発明において、前記センサ保持枠体は、前記赤外線センサの前方に設けられたセンサ窓と、前記センサ窓を中心に左右方向へ延びる凹状溝とを備え、前記凹状溝の底は前記センサ窓から左右両端部に向かって前方へと傾斜する構成としたものである。
【００２２】
これにより、センサ保持枠体の前面から赤外線センサを突出させることなく部屋内の温度状態を検出することができ、しかも赤外線センサはセンサ保持枠体の表面から奥まったところに設けていても、凹状溝の底の傾斜に沿って広角度に部屋内の温度を検出することができ、外観デザインを良好なものとしつつ広範囲の温度検出を実現できる。
【００２３】
第５の発明は、第１〜第４の発明において、前記センサ保持枠体は、背面側を覆うカバー体を備えたものである。
【００２４】
これにより、フィルタ着脱時にフィルタに付着している塵埃の一部が落下して赤外線センサのセンサ部分に付着するようなことを防止でき、フィルタの着脱性向上とともに赤外線センサの故障防止も併せて行うことができ、使い勝手とともに信頼性も高い空気調和機とすることができる。
【００２５】
以下、本発明の実施の形態について、図面を参照しながら説明する。なお、この実施の形態によって本発明が限定されるものではない。
【００２６】
（実施の形態１）
本実施の形態の空気調和機は、冷媒配管及び制御用配線等により互いに接続された室内機と室外機とで構成され、室外機には圧縮機が設けられている。
【００２７】
図１〜図４はこの空気調和機の室内機を示している。図１〜図４、特に図３に示すように、室内機の外観を構成する空気調和機本体（本発明における筐体）１は、空気を吸い込む吸込み口２と、熱交換された空気を吹き出す吹出し口３とを備えている。吸込み口２は
、空気調和機本体１の天面部分の吸込み開口２ａに本体前面の開口部分２ｂを合わせた形となっている。また、空気調和機本体１は、空気調和機本体１の前面を覆う前面パネル４を備えている。
【００２８】
前面パネル４は、その両端上部を空気調和機本体１に枢支されている。このため、前面パネル４は、上方に回動可能であり、開口部分２ｂを開放することができる（後述する図６参照）。
【００２９】
空気調和機本体１の内部には、室内空気に含まれる塵埃を補足するためのフィルタ５と、取り入れた室内空気を熱交換する熱交換器６と、吸込み口２からフィルタ５を通して取り入れた室内空気を熱交換器６で熱交換して吹出し口３から室内に吹き出すための気流を発生させる貫流式のファン７とが設けられている。
【００３０】
フィルタ５は、空気調和機本体１に向かって右側に設けられた右側フィルタ５ａと、左側に設けられた左側フィルタ５ｂとで構成されている。空気調和機本体１は、右側フィルタ５ａと左側フィルタ５ｂとの間に位置し、右側フィルタ５ａ及び左側フィルタ５ｂの背面側を支持するフィルタ支持桟３９を備えている（後述する図６及び図８参照）。
【００３１】
吹出し口３には、当該吹出し口３を開閉するとともに、空気の吹出し方向を上下方向に変更することができる上下風向変更板８が設けられている。上下風向変更板８は、上羽根８ａと下羽根８ｂとからなり、上羽根８ａ、下羽根８ｂはそれぞれ、左右両端のいずれかの回転軸において、ステッピングモータ等からなる駆動モータの回転軸に連結されている（図示せず）。そして、この駆動モータの動作により、上羽根８ａ、下羽根８ｂは、それぞれ上下方向に回動する。なお、上下風向変更板８は上羽根８ａと下羽根８ｂからなるものではなく一つの羽根で構成されるものであってもよい。
【００３２】
また、ファン７の下流側から吹出し口３の上流側に至る通風路９には、空気の吹出し方向を左右に変更することができる複数枚の左右風向変更羽根１０が設けられている。複数枚の左右風向変更羽根１０は、動きを連動させる連結桟により連結され、連結桟はステッピングモータ等からなる駆動モータの回転軸に連結されている（図示せず）。そして、この駆動モータの動作により、複数枚の左右風向変更羽根１０は、それぞれ左右方向に回動する。
【００３３】
また、前記空気調和機本体１の天面と前面パネル４とフィルタ５との間には電装ユニット１１が配置してある。この電装ユニット１１は空気調和機本体１を構成する台枠の一部を利用して装着してあり、前記ファン７、上下風向変更板８、左右風向変更羽根１０、圧縮機等を制御して当該空気調和機の運転を制御するようになっている。
【００３４】
ここで、上記のような構成を持つこの空気調和機には、前記空気調和機本体１の前面部分すなわち前面パネル４と、吹出し口３との間にセンサ保持枠体１２が設けてある。センサ保持枠体１２の前面は、略垂直に設けられた前面パネル４に対して、傾斜して設けられている。
【００３５】
上記センサ保持枠体１２は、図３に示すように、前記フィルタ５の下部前方に位置している。
【００３６】
上記センサ保持枠体１２には、図２及び図５に示すようにその一方端側に人体を検知する人体検知センサ１３、他方端側に床面や壁面等の温度或いは人体の表面温度もしくはその両方を検出する赤外線センサ１４が組み込んである。
【００３７】
更にセンサ保持枠体１２の前面は、前記人体検知センサ１３及び赤外線センサ１４の前方を覆う如く赤外線透過型の１枚の樹脂製の装飾シート１５（図５参照）が装着してある。つまり、前記人体検知センサ１３及び赤外線センサ１４はこの装飾シート１５を介して温度を検出するように構成してある。
【００３８】
上記人体検知センサ１３は、人体から放射される赤外線を検知する焦電素子型の赤外線センサを備え、空調すべき部屋内の赤外線量の変化により人存否と人移動を検出するものである。人体検知センサ１３は、センサ保持枠体１２には固定状態で取り付けてある。
【００３９】
また、前記赤外線センサ１４は、多数の熱電素子型のセンサ素子を配列したセンサ群素子体を備え、空調すべき部屋の床面や壁面等の温度或いは人体の表面温度もしくはその両方の温度を赤外線量によって検出するものである。赤外線センサ１４は、部屋全域の温度状態を検出できるように左右に回動自在として、センサ保持枠体１２に取り付けられている。
【００４０】
図３〜図５に示すように、前記人体検知センサ１３および赤外線センサ１４を組み込んだセンサ保持枠体１２は、その外周縁に設けた枠部１６の背部にカバー体１７を装着して、人体検知センサ１３および赤外線センサ１４を覆う構成としてある。センサ保持枠体１２は、その両端下部を空気調和機本体１に枢支されている。このため、センサ保持枠体１２は、下方手前側に回動可能であり、開口部分２ｂを開放することができる（図６、図７参照）。
【００４１】
また、図２及び図９に示すように、センサ保持枠体１２の前面の赤外線センサ１４のセンサ群素子体２１ａ（後述する図１２参照）に対向する位置には、略円形の孔であるセンサ窓１８が設けられている。また、センサ保持枠体１２の前面には、センサ窓１８を中心に左右方向へ延びる凹状溝１９が設けてあり、この凹状溝１９の底は前記センサ窓１８部分から左右両端部に向かって前方へとせり出しながら傾斜する構成としてある。
【００４２】
図１０に示すように、カバー体１７は、赤外線センサ１４、より具体的には、後述するセンサ筐体２０を、センサ保持枠体１２に保持するためのセンサ保持リブ１２ａを備えている。また、カバー体１７は、赤外線センサ１４、より具体的には、後述するセンサ筐体２０の側方に突出するセンサ側方リブ１２ｂを備えている。センサ保持リブ１２ａ及びセンサ側方リブ１２ｂは、カバー体１７の内面から赤外線センサ１４側に突出するリブである。
【００４３】
上記センサ窓１８に対向すべくセンサ保持枠体１２の内面側に設置した赤外線センサ１４は、空気調和機本体１の左右いずれか一方端側、この実施の形態では図６〜図８に示すように空気調和機本体１の右端部側に位置するように設けてある。
【００４４】
図１１〜図１４に示すように、上記赤外線センサ１４は、センサ筐体２０の下部に、センサ基板２１を有するセンサ保持部２２を設け、このセンサ保持部２２を前記センサ筐体２０の上部に縦設したモータ２３、例えばステッピングモータで矢印に示す如く、左右方向に回動可能としている。これにより、センサ基板２１に設けられたセンサ群素子体２１ａは、左右方向に回動し、前記センサ窓１８及び前記凹状溝１９を介し部屋内の全域をスキャンできる。
【００４５】
図１１〜図１４に示すように、センサ保持部２２は、開口２２ａを備えている。また、センサ保持部２２は、上部に中空軸部２８を備えている。また、開口２２ａの両側には、センサ基板２１を保持する受けリブ２５と係止片２６とが設けられている。係止片２６は、開口２２ａを挟んで一対に設けられている。
【００４６】
図１３、図１４に示すように、センサ基板２１は、モータ２３によって駆動されるセンサ保持部２２に嵌め込まれている。センサ基板２１は、受けリブ２５と係止片２６とによって、センサ保持部２２に係合、保持されている。
【００４７】
図１１、図１２に示すように、センサ保持部２２は、その中空軸部２８をセンサ筐体２０に貫設し、センサ筐体２０上に配置した前記モータ２３の軸２３ａに仲介軸２３ｂを介し嵌合してあり、モータ２３の回転に伴って回動するようになっている。
【００４８】
したがって、上記モータ２３は前記センサ保持部２２の上部に位置していて、その上部は、図１０に示すようにセンサ保持枠体１２とカバー体１７との突合せ上端より上方に突出している。
【００４９】
図５に示すように、上述の突出するモータ２３は、センサ保持枠体１２が備える突出カバー部（本発明における突出部）３８で覆われている。突出カバー部３８は、センサ保持枠体１２の上端からセンサ保持枠体１２の前面に対して後方に傾斜する方向に突出する第１突出カバー１２ｃと、カバー体１７の上端から上方に突出する第２突出カバー１７ａとから構成される。
【００５０】
図８に示すように、突出カバー部３８は、空気調和機本体１の一端側であって、左右のフィルタ５のうち、突出カバー部３８が設けられた側のフィルタ５（図８の例では、右側フィルタ５ａ）の外側の端縁部（図８の例では、右側端縁部５ａ１）よりも、中心側に位置している。
【００５１】
突出カバー部３８の空気調和機本体１における外側の側面と、突出カバー部３８が設けられた側のフィルタ５の外側の端縁との、空気調和機本体１の長手方向における間隔Ｙは、一般的な人の手の甲が挿入可能な隙間であることが望ましい。具体的には、間隔Ｙは、１０ｃｍ以上であることが望ましい。
【００５２】
空気調和機が運転時や通常の停止時の状態では、センサ保持枠体１２が手前側に回動されていない。この状態（図７（ａ）参照）では、突出カバー部３８は、略鉛直上方に突出する。センサ保持枠体１２が手前側に回動された状態（図７（ｂ）参照）では、突出カバー部３８は、略水平前方に突出する。
【００５３】
図１２に示すように、赤外線センサ１４は、センサ保持部２２とセンサ筐体２０との間にコイルバネ２７を懸架してある。コイルバネ２７は、軸２３ａの時計周りおよび反時計回りのいずれか一方の回転方向に中空軸部２８を付勢している。そして、コイルバネ２７が付勢する方向は、前記センサ保持部２２が部屋温度を検出する場合に、軸２３ａを回転させる方向とは反対の方向としている。例えば、センサ保持部２２が部屋温度を検出する場合の軸２３ａの回転方向が時計回りであれば、コイルバネ２７は中空軸部２８を反時計周りに付勢する。
【００５４】
これによれば、軸２３ａの反回転方向側のモータ２３のギアの遊びがなくなるので、センサ保持部２２が部屋温度を検出する方向に回動する時には、モータ２３のバックラッシュを防止できる。
【００５５】
また、センサ保持部２２の中空軸部２８は、軸２３ａと同軸に配置されている。つまり、中空軸部２８は、ギアやリンクを介することなく、軸２３ａの径を拡大するための仲介軸２３ｂのみを介して、モータ２３の軸２３ａに直結されている。これによれば、モータ２３が有するギアの遊びの影響を最小限に抑制できる。
【００５６】
また、図１３に示すように、センサ基板２１に接続されるリード線は、中空軸部２８の内部を通されている。これによれば、センサ保持部２２は、軸２３ａと同軸に配置されているにもかかわらず、センサ保持部２２が回転することによる張力をリード線にかけることがない。このため、リード線が断線することを防止できる。
【００５７】
センサ保持部２２とモータ２３とはセンサ筐体２０に一体に組み付けてユニット化してある。
【００５８】
また、上記モータ２３は部屋内の温度を検出するための回動範囲を超えてセンサ保持部２２を回動させることができるようにしてあり、赤外線センサ１４は装飾シート１５を介することなくセンサ保持枠体１２自体の温度も検出可能としてある。より具体的には、赤外線センサ１４は、前記センサ保持枠体１２の側方に位置するセンサ側方リブ１２ｂの温度を検出するようにしてある。
【００５９】
そして、上記赤外線センサ１４によって検出した部屋の温度を、前記センサ保持枠体１２の温度で補正することで、装飾シート１５の温度の影響を補正することができる。
【００６０】
更に、この実施の形態では、前記赤外線センサ１４および人体検知センサ１３を設けたセンサ保持枠体１２には、更にその略中央部に前記電装ユニット１１によって制御される空気調和機の運転状態を表示する表示部３４が設けてある。
【００６１】
この表示部３４は、図３に示すように、センサ保持枠体１２の内面に配置したプリント基板３５上のＬＥＤ３６と、このＬＥＤ３６からの光を導く導光体３７から構成してあり、上記導光体３７の先端発光面３７ａをセンサ保持枠体１２の端縁に設けて、このセンサ保持枠体１２の端縁と前面パネル４の端縁とが接する角部Ｘが発光するようにしてあり、センサ保持枠体１２の前面側及び前面パネル４の前方側の二方向から導光体の発光を確実に視認することができるようにしてある。
【００６２】
以上のように構成された空気調和機について、次にその作用効果について説明する。
【００６３】
まずこの空気調和機は、吸込み口２から吸いこんだ空気を熱交換器６で熱交換して吹出し口３より吹出し、部屋の空調を行う。そしてセンサ保持枠体１２に設けた人体検知センサ１３が人存否と人移動を検出するとともに、赤外線センサ１４が左右に回動して空調すべき部屋の床面や壁面等の温度或いは人体の表面温度もしくはその両方の温度を検出し、それらの温度出力に基づき電装ユニット１１がファン７、上下風向変更板８、左右風向変更羽根１０、圧縮機等を制御して空調を行う。
【００６４】
このような空調を継続すると、吸込み口２に設けたフィルタ５に塵埃が付着してくる。塵埃の付着量が多くなると、当該フィルタ５を取り外して掃除することになる。また、空気調和機のメンテナンス時には、フィルタ５を取り外す必要がある。
【００６５】
フィルタ５の取り外し方法について、図６を用いて説明する。まず、前面パネル４を上方に開く。次に、センサ保持枠体１２の上端の左右や、突出カバー部３８に手を掛け、センサ保持枠体１２を手前側に回動させる（図６（ａ）参照）。その後、右側フィルタ５ａ及び左側フィルタ５ｂをそれぞれ、別々に取り外す（図６（ｂ）参照）。つまり、右側フィルタ５ａの右側端縁部５ａ１と左側端縁部５ａ２とに手を掛けて、右側フィルタ５ａを手前側に引き出す。また、左側フィルタ５ｂの右側端縁部５ｂ１と左側端縁部５ｂ２とに手を掛けて、左側フィルタ５ｂを手前側に引き出す。
【００６６】
フィルタ５の前方にはセンサ保持枠体１２が存在しているが、このセンサ保持枠体１２の突出カバー部３８は、図８に示すように、右側フィルタ５ａの右側端縁部５ａ１よりも中心寄り側にずれて位置しているから、容易にフィルタ５の着脱ができる。
【００６７】
すなわち、突出カバー部３８が右側フィルタ５ａの右側端縁部５ａ１と重なるような位置にあると、フィルタ５を取り外す際に、右側フィルタ５ａの右側端縁部５ａ１に手を掛けることができず、フィルタ５の着脱が困難になる。
【００６８】
しかし、本実施の形態では、突出カバー部３８は、右側フィルタ５ａの右側端縁部５ａ１よりも中心寄り側にずれて位置しているので、突出カバー部３８に邪魔されることなく、右側フィルタ５ａの右側端縁部５ａ１に手を掛けることができ、フィルタ５の着脱が容易に行える。
【００６９】
同様に、突出カバー部３８は、フィルタ支持桟３９や、左側フィルタ５ｂの左側端縁部５ｂ２と重なるような位置にないため、突出カバー部３８に邪魔されることなく、右側フィルタ５ａの左側端縁部５ａ２、左側フィルタ５ｂの右側端縁部５ｂ１及び左側フィルタ５ｂの左側端縁部５ｂ２に手を掛けることができ、フィルタ５の着脱が容易に行える。
【００７０】
さらに、突出カバー部３８が設けられたセンサ保持枠体１２は、手前側に回動自在であるから、センサ保持枠体１２を手前側に回動させることにより、突出カバー部３８は、フィルタ５の前方部分から手前側に移動してフィルタ着脱の邪魔になることない。したがって、フィルタ５の着脱をより一層容易なものとすることができる。
【００７１】
さらに、前記センサ保持枠体１２を手前側に回動させる際には、突出カバー部３８を手掛け部として利用できるので、センサ保持枠体１２の回動も容易に行え、さらに使い勝手の良いものとすることができる。
【００７２】
更に、前記センサ保持枠体１２はその背面部にカバー体１７を装着して赤外線センサ１４を覆う構成としてあるから、フィルタ着脱時にフィルタ５に付着している塵埃の一部が落下して赤外線センサ１４のセンサ群素子体２１ａ部分に付着するようなことを防止でき、フィルタ５の着脱性向上とともに赤外線センサ１４の故障防止も併せて行うことができ、使い勝手とともに信頼性も高い空気調和機とすることができる。
【００７３】
更に、前記赤外線センサ１４を装着したセンサ保持枠体１２は、センサ窓１８を中心に左右方向へ延びる凹状溝１９を有していて、その凹状溝１９の底が前記センサ窓１８部分から左右両端部に向かって前方へとせり出すように傾斜しているから、センサ保持枠体１２のセンサ窓１８に対向させて設けた赤外線センサ１４はセンサ保持枠体１２の表面から奥まったところに設けていても、凹状溝１９の底の傾斜に沿って広角度に部屋内の温度を検出することができる。したがって、センサ保持枠体１２の前面をフラットのまま維持してその表面から赤外線センサ１４を突出させることなく部屋内の温度状態を検出することができ、広範囲の温度検出を可能としつ外観デザインの良好なものとすることができる。
【００７４】
しかも、前記赤外線センサ１４の前方を装飾シート１５によって覆っているので、赤外線センサ１４が外部から見えず、違和感のないものとすることができる。また、センサ筐体２０の回動部分の隙間に塵埃が溜まることもない。
【００７５】
また、前記赤外線センサ１４は、センサ保持部２２と、このセンサ保持部２２を回動させるモータ２３とを、センサ筐体２０に一体にしてユニット化してある。このため、赤外線センサ１４は、センサ筐体２０をセンサ保持枠体１２に取付けるだけで簡単に装着できる。したがって、センサ保持部２２と、モータ２３とを別々に取付ける場合に比べその組
み立て工数を低減でき、コストダウンを図ることができる。
【００７６】
また、前記赤外線センサ１４は、そのセンサ保持部２２をコイルバネ２７によって部屋の床面や壁面等の温度或いは人体の表面温度もしくはその両方の温度を検出する方向とは逆方向のバイアスを掛けるようにしてあるから、モータ２３自体にバックラッシュがあってもこのバックラッシュの影響を受けることなくモータ制御パルスの指示通り正確な位置に回転、停止して、精度の高い解像度の温度検出を行うことができる。
【００７７】
しかも、上記バックラッシュはセンサ保持部２２とセンサ筐体２０との間にコイルバネ２７を懸架して解消するようにしているから、モータ２３はバックラッシュ防止機能を持たないモータ、すなわち一般市販の安価で汎用性の高いモータを使用することができ、大幅なコストダウンが実現できる。
【００７８】
なお、上記赤外線センサ１４はその前方を既述した通り装飾シート１５で覆っているので、当該装飾シート１５の温度をも検出し、その影響を受けることになる。しかし、装飾シート１５は赤外線透過性を有するシートのため、装飾シート１５自体の温度のみを直接検知することは困難である。
【００７９】
しかしながら、この空気調和機では、赤外線センサ１４が装飾シート１５を装着したセンサ保持枠体１２だけの温度を検出する位置まで回動可能となっており、この位置で装飾シート１５を介することなくセンサ保持枠体１２の温度を検出し、この温度を取り込んで部屋温度を補正する。
【００８０】
したがって、この空気調和機は赤外線センサ１４が装飾シート１５の温度の影響を受けて部屋の温度状態を誤検出することがなく、正確に部屋の温度状態を検出するので、更に精度の高い空調制御が可能となる。
【００８１】
しかも、上記センサ保持枠体１２の温度検出は赤外線センサ１４を利用して行っているので、別途、専用の温度センサ等を設ける必要がなく、構成を簡素化し、かつ温度補正のためのコストアップを抑制することもできる。
【００８２】
また、前記赤外線センサ１４を設けたセンサ保持枠体１２は表示部３４を備え、この表示部３４はＬＥＤ３６からの光を導く導光体３７の先端をセンサ保持枠体１２の端縁に設けて、このセンサ保持枠体１２の端縁と前面パネル４の端縁とが接する角部Ｘで発光するようにしてあるから、センサ保持枠体１２の前面側及び前面パネル４の前方側の二方向から導光体３７の発光を確実に視認することができる。したがって、表示部３４の点灯状態を空気調和機本体１の近傍はもちろん遠くからでも正確に視認することができ、使い勝手の良いものとすることができる。
【００８３】
以上、本発明に係る空気調和機について、上記実施の形態を用いて説明したが、本発明は、これに限定されるものではない。すなわち、今回開示された実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【産業上の利用可能性】
【００８４】
以上のように本発明は、赤外線センサのモータによる突出部がフィルタの前方でフィルタと重なるように突出していてもフィルタの着脱が容易に行えるので、使い勝手の良い空気調和機とすることができる。したがって、一般家庭用はもちろん業務用の空気調和機等にも幅広く適用できる。
【符号の説明】
【００８５】
１  空気調和機本体（筐体）
２  吸込み口
３  吹出し口
４  前面パネル
５  フィルタ
５ａ  右側フィルタ
５ａ１  右側端縁部（外側の端縁部）
５ａ２  左側端縁部
５ｂ  左側フィルタ
５ｂ１  右側端縁部
５ｂ２  左側端縁部（外側の端縁部）
６  熱交換器
７  ファン
８  上下風向変更板
９  通風路
１０  左右風向変更羽根
１１  電装ユニット
１２  センサ保持枠体
１２ａ  センサ保持リブ
１２ｂ  センサ側方リブ
１３  人体検知センサ
１４  赤外線センサ
１５  装飾シート
１６  枠部
１７  カバー体
１８  センサ窓
１９  凹状溝
２０  センサ筐体
２１  センサ基板
２１ａセンサ群素子体
２２  センサ保持部
２２ａ  開口
２３  モータ
２３ａ  軸
２３ｂ  仲介軸
２５  受けリブ
２６  係止片
２７  コイルバネ（付勢手段）
２８  中空軸部
３４  表示部
３５  プリント基板
３６  ＬＥＤ
３７  導光体
３８  突出カバー部（突出部）
３９  フィルタ支持桟
【図１】
2017062090.tif 000003
【図２】
2017062090.tif 000004
【図３】
2017062090.tif 000005
【図４】
2017062090.tif 000006
【図５】
2017062090.tif 000007
【図６】
2017062090.tif 000008
【図７】
2017062090.tif 000009
【図８】
2017062090.tif 000010
【図９】
2017062090.tif 000011
【図１０】
2017062090.tif 000012
【図１１】
2017062090.tif 000013
【図１２】
2017062090.tif 000014
【図１３】
2017062090.tif 000015
【図１４】
2017062090.tif 000016
【図１５】
2017062090.tif 000017